(57)【要約】【課題】１つの情報配信装置からのプレゼンテーションデータから各情報出力装置毎に異なる出力情報を出力させ、より円滑でフレキシブルなプレゼンテーションを実現すること。【解決手段】映像配信端末５のＣＰＵ２０９が、データ記憶部２１１に記憶される複数のレイヤ情報から構成される同一のプレゼンテーションデータを各映像出力端末１〜３に配信し、各映像出力端末１〜３のＣＰＵ２０１が、映像配信端末５から配信される前記プレゼンテーションデータから自らが出力すべきレイヤ情報を選択して抽出するためのレイヤ抽出設定を行い、該設定されたレイヤ抽出設定に基づいて、映像配信端末５から受信した前記プレゼンテーションデータから自らが出力すべき複数のレイヤ情報を選択抽出し、該抽出した複数のレイヤ情報を合成して出力装置２０５に出力するための１つの合成出力情報を生成する構成を特徴とする。【選択図】図２
2006071704.tif 000002
【特許請求の範囲】
【請求項１】
プレゼンテーションデータを配信する情報配信装置と、前記情報配信装置から配信されたプレゼンテーションデータを受信し該受信したプレゼンテーションデータに基づいて出力手段に出力を行う複数の情報出力装置とを有する情報配信出力システムであって、
前記情報配信装置は、複数の出力情報から構成されるプレゼンテーションデータを記憶する記憶手段と、
前記記憶手段に記憶される複数の出力情報から構成される同一のプレゼンテーションデータを前記各情報出力装置に配信する第１の配信手段とを有するものであり、
前記各情報出力装置は、前記情報配信装置から配信される複数の出力情報から構成されるプレゼンテーションデータから自らが出力すべき出力情報を選択して抽出するための抽出設定を行う設定手段と、
前記設定手段により設定された抽出設定に基づいて、前記情報配信装置から受信した前記プレゼンテーションデータから自らが出力すべき複数の出力情報を選択抽出する抽出手段と、
前記抽出手段により抽出された複数の出力情報を合成して前記出力手段に出力するための１つの合成出力情報を生成する合成手段と、
を有することを特徴とする情報配信出力システム。
【請求項２】
前記情報配信装置は、前記第１の配信手段が前記各情報出力装置に配信する複数の出力情報から構成されるプレゼンテーションデータから前記各情報出力装置が出力すべき出力情報を選択して抽出するための抽出設定情報を配信する第２の配信手段を有するものであり、
前記設定手段は、前記情報配信装置から配信される前記抽出設定情報に基づいて、前記抽出設定を行うことを特徴とする請求項１記載の情報配信出力システム。
【請求項３】
前記プレゼンテーションデータを構成する複数の出力情報は、複数のレイヤ情報であることを特徴とする請求項１又は２記載の情報配信出力システム。
【請求項４】
前記レイヤ情報は、静止画像情報、テキスト情報、音声情報、アクション情報，動画情報のうちいずれか１又は複数を含むことを特徴とする請求項３記載の情報配信出力システム。
【請求項５】
前記合成手段は、前記抽出手段により抽出された複数のレイヤ情報を合成して１つの合成レイヤ出力情報を生成することを特徴とする請求項４記載の情報配信出力システム。
【請求項６】
前記第１の配信手段が、プレゼンテーションデータを配信するための情報配信トリガを発生するトリガ発生手段と、
前記記憶手段は、前記トリガ発生手段により発生される情報配信トリガの発生回数に対応した複数のプレゼンテーションデータを記憶するものであり、
前記第１の配信手段は、前記トリガ発生手段により情報配信トリガが発生される毎に、該情報配信トリガの発生回数に対応したプレゼンテーションデータを前記各情報出力装置に配信することを特徴とする請求項１〜５のいずれかに記載の情報配信出力システム。
【請求項７】
前記情報配信装置は、前記プレゼンテーションデータを生成・編集する生成・編集手段を有することを特徴とする請求項１〜６のいずれかに記載の情報配信出力システム。
【請求項８】
前記情報配信装置は、前記第１の配信手段が配信するプレゼンテーションデータから自らが出力すべき出力情報を選択して抽出するための抽出設定を行う発表者参照用設定手段と、
前記発表者参照用設定手段により設定された抽出設定に基づいて、前記第１の配信手段が配信する前記プレゼンテーションデータから自らが出力すべき複数の出力情報を選択抽出する発表者参照用抽出手段と、
前記発表者参照用抽出手段により抽出された複数の出力情報を合成して発表者参照用出力手段に出力するための１つの合成出力情報を生成する発表者参照用合成手段と、
を有することを特徴とする請求項１〜７のいずれかに記載の情報配信出力システム。
【請求項９】
受信したプレゼンテーションデータに基づいて出力手段に出力を行う複数の情報出力装置に前記プレゼンテーションデータを配信する情報配信装置であって、
複数の出力情報から構成されるプレゼンテーションデータを記憶する記憶手段と、
前記記憶手段に記憶される複数の出力情報から構成される同一のプレゼンテーションデータを前記各情報出力装置に配信する第１の配信手段と、
を有することを特徴とする情報配信装置。
【請求項１０】
情報配信装置から配信されたプレゼンテーションデータを受信し、該受信したプレゼンテーションデータに基づいて出力手段に出力を行う複数の情報出力装置であって、
前記情報配信装置から配信される複数の出力情報から構成されるプレゼンテーションデータから自らが出力すべき出力情報を選択して抽出するための抽出設定を行う設定手段と、
前記設定手段により設定された抽出設定に基づいて、前記情報配信装置から受信した前記プレゼンテーションデータから自らが出力すべき複数の出力情報を選択抽出する抽出手段と、
前記抽出手段により抽出された複数の出力情報を合成して前記出力手段に出力するための１つの合成出力情報を生成する合成手段と、
を有することを特徴とする情報出力装置。
【請求項１１】
プレゼンテーションデータを配信する情報配信装置と、前記情報配信装置から配信されたプレゼンテーションデータを受信し該受信したプレゼンテーションデータに基づいて出力手段に出力を行う複数の情報出力装置とを有する情報配信出力システムにおける情報配信出力方法であって、
前記情報配信装置が、メモリに記憶される複数の出力情報から構成される同一のプレゼンテーションデータを前記各情報出力装置に配信する配信ステップと、
前記各情報出力装置が、前記情報配信装置から配信される複数の出力情報から構成されるプレゼンテーションデータから自らが出力すべき出力情報を選択して抽出するための抽出設定を行う設定ステップと、
前記各情報出力装置が、前記設定された抽出設定に基づいて、前記情報配信装置から受信した前記プレゼンテーションデータから自らが出力すべき複数の出力情報を選択抽出する抽出ステップと、
前記各情報出力装置が、前記抽出された複数の出力情報を合成して前記出力手段に出力するための１つの合成出力情報を生成する合成ステップと、
を有することを特徴とする情報配信出力方法。
【請求項１２】
受信したプレゼンテーションデータに基づいて出力手段に出力を行う複数の情報出力装置に前記プレゼンテーションデータを配信する情報配信装置における情報配信方法であって、
メモリに記憶される複数の出力情報から構成される同一のプレゼンテーションデータを前記各情報出力装置に配信する配信ステップを有することを特徴とする情報配信方法。
【請求項１３】
情報配信装置から配信されたプレゼンテーションデータを受信し、該受信したプレゼンテーションデータに基づいて出力手段に出力を行う複数の情報出力装置における情報出力方法であって、
前記情報配信装置から配信される複数の出力情報から構成されるプレゼンテーションデータから自らが出力すべき出力情報を選択して抽出するための抽出設定を行う設定ステップと、
該設定された抽出設定に基づいて、前記情報配信装置から受信した前記プレゼンテーションデータから自らが出力すべき複数の出力情報を選択抽出する抽出ステップと、
該抽出された複数の出力情報を合成して前記出力手段に出力するための１つの合成出力情報を生成する合成ステップと、
を有することを特徴とする情報出力方法。
【請求項１４】
請求項１１に記載された情報配信出力方法を実行するためのプログラム。
【請求項１５】
請求項１２に記載された情報配信方法を実行するためのプログラム。
【請求項１６】
請求項１３に記載された情報出力方法を実行するためのプログラム。
【請求項１７】
請求項１１に記載された情報配信出力方法を実行するためのプログラムをコンピュータが読み取り可能に記憶した記録媒体。
【請求項１８】
請求項１２に記載された情報配信方法を実行するためのプログラムをコンピュータが読み取り可能に記憶した記録媒体。
【請求項１９】
請求項１３に記載された情報出力方法を実行するためのプログラムをコンピュータが読み取り可能に記憶した記録媒体。
【発明の詳細な説明】
【技術分野】
【０００１】
本発明は、複数の出力装置に対応したプレゼンテーションを支援する情報配信出力システムおよび情報配信装置および情報出力装置および情報配信出力方法および情報配信方法および情報出力方法およびプログラムおよび記録媒体。
【背景技術】
【０００２】
従来、プレゼンテーションを行う際に、発表者、観覧者それぞれに発表者参照用映像出力装置と観覧者参照用映像出力装置とを用意し、発表を行うことがある。
【０００３】
特許文献１には、発表者のみが参照できる情報（発表経過時間、発表シナリオ等）を発表者参照用映像に表示することにより、プレゼンテーションを円滑に行うことを支援する提案がなされている。
【特許文献１】特開２００２-１９６７４０号公報
【発明の開示】
【発明が解決しようとする課題】
【０００４】
しかし、特許文献１のような従来技術では、観覧者が参照できる情報は、発表者が参照できる情報のサブセットとなっているため、観覧者のみが参照できる映像を観覧者参照用映像に表示するといったことはできなかった。
【０００５】
そのため、例えば、国際会議等において、観覧者参照用の映像出力装置を複数用意し、その映像出力装置毎に異なる言語のプレゼンテーション映像を出力し、また発表者もそれらの映像とは異なる言語にて記述された画面を参照しながら、発表を行いたいといった場合には、対応できなかった。
【０００６】
従来、このような場合、各言語毎に個別に映像配信装置を用意し、それぞれに異なる言語のプレゼンテーション資料を記憶させ、該複数の映像配信装置を同時に操作しながら発表しなければならない、といった煩雑な作業を強いられていた。
【０００７】
このため、操作を誤ってしまい、複数の映像出力配信端末からの出力が同期しなくなってしまう等の恐れがあった。
【０００８】
本発明は、上記の問題点を解決するためになされたもので、本発明の目的は、情報配信装置が、メモリに記憶される複数の出力情報から構成される同一のプレゼンテーションデータを前記各情報出力装置に配信し、前記各情報出力装置が、前記情報配信装置から配信される複数の出力情報から構成されるプレゼンテーションデータから自らが出力すべき出力情報を選択して抽出するための抽出設定を行い、前記各情報出力装置が、前記設定された抽出設定に基づいて、前記情報配信装置から受信した前記プレゼンテーションデータから自らが出力すべき複数の出力情報を選択抽出し、前記各情報出力装置が、前記抽出された複数の出力情報を合成して出力手段に出力するための１つの合成出力情報を生成することにより、１つの情報配信装置からのプレゼンテーションデータから各情報出力装置毎に異なる出力情報を出力させることができ、より円滑でフレキシブルなプレゼンテーションを実現することができる情報配信出力システムおよび情報配信装置および情報出力装置および情報配信出力方法および情報配信方法および情報出力方法プログラムおよび記録媒体を提供することである。
【課題を解決するための手段】
【０００９】
本発明は、プレゼンテーションデータを配信する情報配信装置と、前記情報配信装置から配信されたプレゼンテーションデータを受信し該受信したプレゼンテーションデータに基づいて出力手段に出力を行う複数の情報出力装置とを有する情報配信出力システムであって、前記情報配信装置は、複数の出力情報から構成されるプレゼンテーションデータを記憶する記憶手段と、前記記憶手段に記憶される複数の出力情報から構成される同一のプレゼンテーションデータを前記各情報出力装置に配信する第１の配信手段とを有するものであり、前記各情報出力装置は、前記情報配信装置から配信される複数の出力情報から構成されるプレゼンテーションデータから自らが出力すべき出力情報を選択して抽出するための抽出設定を行う設定手段と、前記設定手段により設定された抽出設定に基づいて、前記情報配信装置から受信した前記プレゼンテーションデータから自らが出力すべき複数の出力情報を選択抽出する抽出手段と、前記抽出手段により抽出された複数の出力情報を合成して前記出力手段に出力するための１つの合成出力情報を生成する合成手段とを有することを特徴とする。
【発明の効果】
【００１０】
本発明によれば、情報配信装置が、メモリに記憶される複数の出力情報から構成される同一のプレゼンテーションデータを前記各情報出力装置に配信し、前記各情報出力装置が、前記情報配信装置から配信される複数の出力情報から構成されるプレゼンテーションデータから自らが出力すべき出力情報を選択して抽出するための抽出設定を行い、前記各情報出力装置が、前記設定された抽出設定に基づいて、前記情報配信装置から受信した前記プレゼンテーションデータから自らが出力すべき複数の出力情報を選択抽出し、前記各情報出力装置が、前記抽出された複数の出力情報を合成して出力手段に出力するための１つの合成出力情報を生成するので、１つの情報配信装置からのプレゼンテーションデータから各情報出力装置毎に異なる出力情報を出力させることができる。
【００１１】
従って、観覧者参照用の各情報出力装置（発表者参照用の情報出力装置を含む）毎に、自らが表示する出力情報を抽出する機能を持ち、情報配信装置から配信される同一のプレゼンテーションデータによって、複数の情報出力装置が異なる出力をプレゼンテーション出力することができ、より円滑でフレキシブルなプレゼンテーションを実現することができる等の効果を奏する。
【００１２】
その結果、例えば、国際会議等において、観覧者参照用の情報出力装置を複数用意し、その情報出力装置毎に異なる言語のプレゼンテーション映像を出力し、また発表者もそれらの映像とは異なる言語にて記述された情報配信装置の画面を参照しながら、発表を行いたいといった場合でも、１つの情報配信装置から複数言語でそれぞれ記述された複数の出力情報から構成されるプレゼンテーションデータを配信して、複数の情報出力装置に異なる言語のプレゼンテーション出力を行うことができる。
【００１３】
よって、従来のように、各言語毎に個別に情報配信装置を用意し、それぞれに異なる言語のプレゼンテーション資料を記憶させ、該複数の情報配信装置を同時に操作しながら発表する必要もなく、操作を誤って、複数の情報出力配装置からの出力が同期しなくなってしまう等の恐れも全て解消される。
【発明を実施するための最良の形態】
【００１４】
図１は、本発明の一実施形態を示す情報配信装置および情報出力装置を適用可能なプレゼンテーション支援システムを提供可能な映像出力システムの一例を示すシステム構成図である。
【００１５】
図１において、５は映像配信端末である。この映像配信端末５は、ＬＡＮ等の通信伝送路（ネットワーク）４を介して複数の映像出力端末（映像出力端末１，映像出力端末２，映像出力端末３等）と通信可能に接続されている。
【００１６】
図２は、図１に示した映像出力端末１〜３，映像配信端末５のハードウェア構成の一例を示すブロック図である。
【００１７】
図２において、２０１，２０９は、それぞれ映像出力端末１〜３，映像配信端末５の中枢となる制御装置であって、画像、音声、データ等の符号化・復号化処理及び画像やデータの表示状態の制御などを行うものであり、具体的にはパーソナルコンピュータのＣＰＵ等にあたる。
【００１８】
２０２，２１０は、それぞれ映像出力端末１〜３，映像配信端末５のＲＡＭ（Ｒａｎｄｏｍ  Ａｃｃｅｓｓ  Ｍｅｍｏｒｙ）で、プログラムのワークエリアや一時的に保持するデータのバッファとして利用される。２０３，２１１は、それぞれ映像出力端末１〜３，映像配信端末５のデータ記憶部であって、プレゼンテーション資料を保存、端末の制御の為のプログラムや、データ符号化・復号化のためのプログラムの保存等を行うものであり、具体的にはハードディスクドライブやＲＯＭ（Ｒｅａｄ  Ｏｎｌｙ  Ｍｅｍｏｒｙ），ＤＶＤドライブ等である。
【００１９】
２０４，２１２は、それぞれ映像出力端末１〜３，映像配信端末５の入力装置であり、この装置を通じて提示資料の指定、プレゼンテーションを進行したりする為のコマンド入力等を行うためのものであり、具体的には、映像出力端末１〜３のパネルスイッチやリモートコントローラ、映像出力端末１〜３及び映像配信端末５のキーボードやマウス等である。
【００２０】
２０５，２１３は、それぞれ映像出力端末１〜３，映像配信端末５の出力装置で、画像や音声を再生やプレゼンテーション資料の表示等を行うためのものである。特に、映像出力端末１〜３において表示を行う具体的な出力装置２０５はプロジェクタであり、映像配信端末５において表示を行う具体的な出力装置２１３としてはコンピュータディスプレイ等である。
【００２１】
２０６，２１４は、それぞれ映像出力端末１〜３，映像配信端末５の通信インタフェースで、ＬＡＮ等の通信伝送路４と映像出力端末１〜３，映像配信端末５とを接続するためのものである。
【００２２】
なお、データ記憶部２０３，２１１には、ＯＳ（オペレーションシステム）がインストールされており、ＣＰＵ２０１，２０９は、該ＯＳ上でソフトウェアを動作させることが可能である。
【００２３】
さらに、映像出力端末１〜３は、パーソナルコンピュータ等の情報処理装置にプロジェクタ等の出力装置を接続した構成であってもよいし、プロジェクタ自身がＯＳを搭載し後述する各種処理を可能とする装置構成であってもよい。
【００２４】
図３は、図１に示した映像出力端末１〜３，映像配信端末５の機能構成の一例を示すブロック図である。
【００２５】
映像出力端末１〜３において、３０１は通信部で、通信伝送路４を介して映像配信端末５から出力レイヤ設定用情報（後述する図８に示す），映像出力用データ（後述する図１１に示すプレゼンテーションデータ）を受信するためのものであり、図２のＣＰＵ２０１がデータ記憶部２０３に記憶されるプログラムをＲＡＭ２０２上に読み出して実行する通信インタフェース２０６を用いた映像受信処理に対応する。
【００２６】
３０５は表示情報設定部で、通信部３０１にて受信した出力レイヤ設定用情報（後述する図８に示す）に基づいて情報抽出部３０２が抽出すべきレイヤ情報を設定するものであり、図２のＣＰＵ２０１がデータ記憶部２０３に記憶されるプログラムをＲＡＭ２０２上に読み出して実行する表示情報設定処理に対応する。
【００２７】
情報抽出部３０２は、通信部３０１で受信した映像出力用データ（後述する図１１に示すプレゼンテーションデータ）から、表示情報設定部３０５にて設定された映像出力端末自身が出力すべきレイヤ情報を選択・抽出するものであり、図２のＣＰＵ２０１がデータ記憶部２０３に記憶されるプログラムをＲＡＭ２０２上に読み出して実行する情報抽出処理に対応する。
【００２８】
３０３は情報展開部で、情報抽出部３０２にて抽出されたレイヤ情報一枚一枚を解析し、一枚のレイヤ合成出力映像情報に合成するものであり、図２のＣＰＵ２０１がデータ記憶部２０３に記憶されるプログラムをＲＡＭ２０２上に読み出して実行する情報展開処理に対応する。
【００２９】
３０４は映像表示部で、情報展開部３０３にて生成されたレイヤ合成出力映像情報を元に映像出力を行うものであり、図２のＣＰＵ２０１がデータ記憶部２０３に記憶されるプログラムをＲＡＭ２０２上で実行して出力装置２０５に対して行う映像表示処理に対応する。
【００３０】
なお、通信部３０１，情報抽出部３０２，情報展開部３０３，映像表示部３０４，表示情報設定部３０５の各機能は、それぞれＣＰＵ２０１がデータ記憶部２０３に記憶されるプログラム（映像出力端末１〜３搭載のＯＳ上で動作するソフトウェアプログラム）をＲＡＭ２０２上で実行して制御処理することにより実現される構成について説明したが、ハードウェアを用いて実行するように構成してもよい。
【００３１】
映像配信端末５において、３０６は情報生成部で、映像出力用情報登録ファイル（後述する図６に示す）を生成するものであり、図２のＣＰＵ２０９がデータ記憶部２１１に記憶されるプログラムをＲＡＭ２１０上に読み出して実行する情報生成処理に対応する。
【００３２】
３０７は情報圧縮部で、出力レイヤ設定用情報（後述する図８に示す）を生成し、該出力レイヤ設定情報に基づいて情報抽出部３０９が抽出すべきレイヤ情報を設定するとともに、情報生成部３０６で生成された映像出力用情報登録ファイル（後述する図６に示す）から映像配信トリガ発生回数に応じた映像出力用データ（後述する図１１に示すプレゼンテーションデータ）を抽出するものであり、図２のＣＰＵ２０９がデータ記憶部２１１に記憶されるプログラムをＲＡＭ２１０上に読み出して実行する情報圧縮処理に対応する。
【００３３】
３０８は通信部で、通信伝送路４を介して映像出力端末１〜３に出力レイヤ設定用情報（後述する図８に示す），映像出力用データ（後述する図１１に示すプレゼンテーションデータ）を配信するためのものであり、図２のＣＰＵ２０９がデータ記憶部２１１に記憶されるプログラムをＲＡＭ２１０上に読み出して実行する通信インタフェース２１４を用いた映像配信処理に対応する。また、通信部３０８は、情報圧縮部３０７で抽出されて送信された映像出力用データ（図１１に示すプレゼンテーションデータ）から情報抽出部３０９が抽出すべきレイヤ情報を設定する機能も有する。
【００３４】
情報抽出部３０９は、情報圧縮部３０７で抽出され通信部３０８から送信された映像出力用データ（図１１に示すプレゼンテーションデータ）から、通信部３０８にて設定された映像配信端末自身が出力すべきレイヤ情報を選択・抽出するものであり、図２のＣＰＵ２０９がデータ記憶部２１１に記憶されるプログラムをＲＡＭ２１０上に読み出して実行する情報抽出処理に対応する。
【００３５】
３１０は情報展開部で、情報抽出部３０９にて抽出されたレイヤ情報一枚一枚を解析し、一枚のレイヤ合成出力映像情報に合成するものであり、図２のＣＰＵ２０９がデータ記憶部２１１に記憶されるプログラムをＲＡＭ２１０上に読み出して実行する情報展開処理に対応する。
【００３６】
３１１は映像表示部で、情報展開部３１０にて生成されたレイヤ合成出力映像情報を元に映像出力を行うものであり、図２のＣＰＵ２０９がデータ記憶部２１１に記憶されるプログラムをＲＡＭ２１０上で実行して出力装置２１３に対して行う映像表示処理に対応する。
【００３７】
なお、情報生成部３０６，情報圧縮部３０７，通信部３０８，情報抽出部３０９，情報展開部３１０，映像表示部３１１は、それぞれＣＰＵ２０９がデータ記憶部２１１に記憶されるプログラム（映像配信端末５搭載のＯＳ上で動作するソフトウェアプログラム）をＲＡＭ２１０上で実行して制御処理することにより実現される構成について説明したが、ハードウェアを用いて実現するように構成してもよい。
【００３８】
以下、図４，図５を参照して、図３に示した情報生成部３０６による映像出力用情報登録ファイル（後述する図６に示す）の生成処理について説明する。
【００３９】
図４，図５は、図３に示した情報生成部３０６（ＣＰＵ２０９により実行されるアプリケーションソフトウェアプログラム）が提供するユーザインタフェースの一例を示す模式図であり、図２に示したＣＰＵ２０９の表示制御により、出力装置２１３に表示される。
【００４０】
図４において、７００は、操作画面毎のレイヤ情報を一覧表示するウィンドウであり、図２に示した入力装置２１２から起動が指示されると、図３に示した情報生成部３０６により、出力装置２１３に表示制御される。
【００４１】
ウィンドウ７００において、「Ｏｐｅｒａｔｉｏｎ１」〜「Ｏｐｅｒａｔｉｏｎ３」ボタン（操作画面選択ボタン７０１）は、それぞれプレゼンテーション時の映像配信トリガ発生回数に対応している（マイクロソフト社のＰｏｗｅｒＰｏｉｎｔ（商品名）におけるリターン、左クリック等により発生されるトリガの回数に相当する）。
【００４２】
また、プレゼンテーション時には、操作画面選択ボタン７０１に対応する映像配信トリガが発生したとき、図３に示した情報圧縮部３０７により、操作画面選択ボタンと共に横並びする各レイヤ（Ｌａｙｅｒ）のシート（画面情報）が抽出され、映像配信端末５（通信部３０８）より映像出力端末１〜３に配信され、該配信された各レイヤ（Ｌａｙｅｒ）のシート（画面情報）内のいずれか１又は複数のシート（画面情報）が映像出力端末１〜３で選択抽出されて重ね合わせた状態で出力される。
【００４３】
例えば、「Ｏｐｅｒａｔｉｏｎ２」ボタンに対応する「芽が出た」に関する各シート７０３〜７０５は、ＣＰＵ２０９により、映像配信トリガ発生回数が２回目の時に映像配信端末５より映像出力端末１〜３に配信され、該配信された各レイヤのシート７０３〜７０５内のいずれか１又は複数のシートが映像出力端末１〜３で選択抽出されて出力される。なお、映像出力端末１〜３が、いずれのレイヤ（Ｌａｙｅｒ）を重ね合わせて出力するかは、映像設定ボタン７０９が指示された場合に、情報圧縮部３０７にて出力装置２１３に表示される後述する図７に示すウィンドウ９００にて設定される。
【００４４】
７０６は操作画面追加ボタンで、この操作画面追加ボタン７０６が入力装置２１２により指示（クリック）されると、情報生成部３０６がウィンドウ７００上に、操作画面（Ｏｐｅｒａｔｉｏｎ）を追加するように制御する。
【００４５】
７０７はレイヤ追加ボタンで、このレイヤ追加ボタン７０７が入力装置２１２により指示（クリック）されると、情報生成部３０６がウィンドウ７００上に、レイヤを追加するように制御する。
【００４６】
また、「ＬａｙｅｒＡ」〜「ＬａｙｅｒＣ」ボタン（編集レイヤ選択ボタン７０２）のそれぞれの下に縦並びするシートは、それぞれＬａｙｅｒＡ〜ＬａｙｅｒＣに対応するシートとして扱われる。この編集レイヤ選択ボタン７０２は、編集するレイヤを選択するためのものであり、この編集レイヤ選択ボタン７０２が入力装置２１２により指示（クリック）されると、情報生成部３０６が選択されたレイヤが認識可能となるように該選択されたレイヤの表示形態を変更するように制御する。
【００４７】
さらに、操作画面選択ボタン７０１は、編集する操作画面を選択するためのものであり、この操作画面選択ボタン７０１が入力装置２１２により指示（クリック）されると、情報生成部３０６は、図５のウィンドウ８００を（ウィンドウ７００を閉じることなく）出力装置２１３上に表示し、指示された操作画面選択ボタン７０１に対応する編集レイヤ選択ボタン７０２により選択されているレイヤのシートを編集することを可能とする。これにより、ウィンドウ７００にてレイヤ情報を参照しながら、ウィンドウ８００にてレイヤの編集作業を行うことができる。
【００４８】
図５のウィンドウ８００では、ウィンドウ７００の編集レイヤ選択ボタン７０２及び、操作画面選択ボタン７０１により選択されたシートが重ねあわされた状態で表示される。
【００４９】
アクティブレイヤ選択ボタン８０１にて選択されたレイヤを画像編集ツールバーボタン８０２を用い編集することができる。
【００５０】
このときシートに記述できる内容は静的な画像，テキストデータ等に留まらなくともよい。例えば、"テキストが画面外から移動してくる。"などといったプレゼンテーションソフトウェアにおけるアニメーション効果や、画面を説明する音声情報、さらに、ＭＰＥＧ等の動画情報等の貼り付け等も含めた編集が可能である。
【００５１】
これらの編集データは、図４の保存ボタン７０８が入力装置２１２により指示（クリック）された場合に、ウィンドウ７００のプレゼンテーションデータとして、情報生成部３０６により、後述する図６に示す映像出力用情報登録ファイル１３００としてデータ記憶部２１１に保存されるように制御される。
【００５２】
図６は、図３に示した情報生成部３０６により生成される映像出力用情報登録ファイル１３００の一例を示すデータ構成図である。
【００５３】
以下、図７を参照して、図３に示した情報圧縮部３０７による出力レイヤ設定用情報の生成処理について説明する。
【００５４】
図７は、図３に示した情報圧縮部３０７（ＣＰＵ２０９により実行されるアプリケーションソフトウェアプログラム）が提供するユーザインタフェースの一例を示す模式図であり、図２に示したＣＰＵ２０９の表示制御により、出力装置２１３に表示される。
【００５５】
図７において、９００は前記映像出力用情報登録ファイル１３００を用いて映像出力端末１〜３が表示する映像設定を行うためのウィンドウであり、図２に示した入力装置２１２から図４に示した映像設定ボタン７０９が指示（クリック）されると、図３に示した情報圧縮部３０７により、出力装置２１３に表示制御される。
【００５６】
ウィンドウ９００において、９０１は新規出力デバイスボタンで、この新規出力デバイスボタン９０１が入力装置２１２で指示（クリック）されると、情報圧縮部３０７は出力デバイス選択タブ９０２を生成し、新たな出力デバイスへの映像設定を可能にする。なお、"出力デバイス１"は、映像配信端末５の出力装置２１３に対応するものであり、デフォルトで既に生成されている。
【００５７】
９０３はＩＰ設定フィールドで、出力デバイス選択タブ９０２で選択されている出力デバイスに対応する映像端末を特定する情報（ＩＰアドレス等）を入力するためのものである。
【００５８】
９０４出力レイヤ選択ラジオボタンで、出力デバイス選択タブ９０２で選択されている出力デバイスに対応する映像端末に表示させるレイヤ（Ｌａｙｅｒ）を１又は複数選択するためのものであり、選択されたレイヤを重ね合わせた画像が出力画面確認プレビュー９０５に表示される。
【００５９】
情報圧縮部３０７は、ＩＰ設定フィールド９０３に設定される情報から映像端末を特定し、出力レイヤ選択ラジオボタン９０４にて選択された情報から対象の映像出力端末に表示させるレイヤを特定する。
【００６０】
９０６は発表開始ボタンで、この発表開始ボタン９０６が入力装置２１２により指示（クリック）された場合に、情報圧縮部３０７は、後述する図８に示す出力レイヤ設定用情報をＲＡＭ２１０上に生成し、通信部３０８は、映像配信処理（図９）を開始する。なお、発表開始ボタン９０６が指示された場合に、情報圧縮部３０７が、図８に示す出力レイヤ設定用情報を図６に示した映像出力用情報登録ファイル１３００に対応付けてデータ記憶部２１１に保存し、以後読み出して使用可能にするように構成してもよい。
【００６１】
図８は、図３に示した情報圧縮部３０６により生成される出力レイヤ設定用情報の一例を示すデータ構成図である。
【００６２】
図８に示すように、出力レイヤ設定用情報は、"Ｏｐｅｒａｔｉｏｎ０"の情報として作成される。
【００６３】
以下、図９，図１０のフローチャートを参照して、映像配信端末５による映像配信処理について説明する。
【００６４】
図９は、本発明の映像配信システムにおける第１の制御処理の一例を示すフローチャートであり、映像配信端末５による映像配信処理に対応する。なお、このフローチャートの処理は、図２に示したＣＰＵ２０９がデータ記憶部２１１に格納されるプログラムをＲＡＭ２１０上に読み出して実行することにより実現される。また、図中、Ｓ５０１〜Ｓ５０３は各ステップを示す。
【００６５】
まず、ステップＳ５０１において、通信部３０８は、データ記憶部２１１に格納される映像出力用情報登録ファイルを開く。
【００６６】
次に、ステップＳ５０２において、通信部３０８は、図８に示した出力レイヤ設定用情報を情報圧縮部３０７から取得し、各映像出力端末１〜３に送信して、映像出力用情報登録ファイル内の各種映像出力用情報と映像出力用端末との関連付けを行う。なお、画像配信端末５自身の出力のために、通信部３０８は、情報圧縮部３０７から取得した出力レイヤ設定用情報における"ｄｅｖｉｃｅ"要素中のＩＤ属性のうち、自分自身のＩＰアドレスと一致する"ｄｅｖｉｃｅ"要素の"ｌａｙｅｒ"属性に記載された情報から、情報抽出部３０９が抽出すべきレイヤ情報を情報抽出部３０９に設定する。
【００６７】
次に、ステップＳ５０３において、映像出力用情報配信処理（詳細は図１０に示す）を実行し、処理を終了する。
【００６８】
図１０は、本発明の映像配信システムにおける第２の制御処理の一例を示すフローチャートであり、図９のステップＳ５０３の映像出力用情報配信処理に対応する。なお、このフローチャートの処理は、図２に示したＣＰＵ２０９がデータ記憶部２１１に格納されるプログラムをＲＡＭ２１０上に読み出して実行することにより実現される。また、図中、Ｓ６０１〜Ｓ６０５は各ステップを示す。
【００６９】
ステップＳ６０１において、情報圧縮部３０７は、映像配信トリガの発生（入力装置２１２からのリターンキー入力、マウス左ボタンクリック等）が起こるまで処理を待機し、映像配信トリガが発生したと判定した場合には、処理をステップＳ６０２に移行する。
【００７０】
ステップＳ６０２において、情報圧縮部３０７は、映像出力用情報登録ファイルから映像配信トリガ発生回数に応じたプレゼンテーションデータ（例えば、映像配信トリガ発生回数が「２」の場合は、図１１に示すＯｐｅｒａｔｉｏｎ２のプレゼンテーションデータ）を抽出する（映像出力用情報の圧縮）。
【００７１】
ステップＳ６０３において、通信部３０８は、各映像出力端末１〜３及び情報抽出部３０９にステップＳ６０２で情報圧縮部３０７が抽出したプレゼンテーションデータ（例えば、図１１）を配信する（映像出力用情報の配信）。
【００７２】
次に、ステップＳ６０４において、情報圧縮部３０７は、次の映像配信トリガ発生回数に応じたプレゼンテーションデータの有無を判別し、次の映像配信トリガ発生回数に応じたプレゼンテーションデータが存在すると判定した場合（映像出力用情報登録ファイルがＥＯＦでないと判定した場合）は、ステップ６０１に処理を移行する。
【００７３】
一方、ステップＳ６０４で、情報圧縮部３０７が、次の映像配信トリガ発生回数に応じたプレゼンテーションデータが存在しないと判定した場合（映像出力用情報登録ファイルがＥＯＦであると判定した場合）は、ステップＳ６０５において、通信部３０８は、映像出力終了コマンドを各映像出力端末１〜３及び情報抽出部３０９に配信し、映像出力用情報の配信を終了する。
【００７４】
図１１は、図６に示した映像出力用情報登録ファイル１３００から映像配信トリガ発生回数に応じて抽出されたプレゼンテーションデータの一例を示すデータ構成図であり、特に映像配信トリガ発生回数が「２」に抽出されたプレゼンテーションデータに対応する。
【００７５】
以下、図１２のフローチャートを参照して、映像出力端末１〜３（映像配信端末５）による映像出力処理について説明する。
【００７６】
図１２は、本発明の映像配信システムにおける第３の制御処理の一例を示すフローチャートであり、映像出力端末１〜３による映像出力処理に対応する。なお、このフローチャートの処理は、図２に示したＣＰＵ２０１がデータ記憶部２０３に格納されるプログラムをＲＡＭ２０２上に読み出して実行することにより実現される。また、図中、Ｓ４０１〜Ｓ４０７は各ステップを示す。
【００７７】
ステップＳ４０１において、通信部３０１が、映像配信端末５から図８に示した出力レイヤ設定用情報（"Ｏｐｅｒａｔｉｏｎ０"の情報）を受信すると、ステップＳ４０２において、表示情報設定部３０５は、ステップＳ４０１において受信した出力レイヤ設定用情報における"ｄｅｖｉｃｅ"要素中のＩＤ属性のうち、自分自身のＩＰアドレスと一致する"ｄｅｖｉｃｅ"要素を検索する。そして、表示情報設定部３０５は、自分自身のＩＰアドレスと一致するＩＰアドレスの"ｄｅｖｉｃｅ"要素が存在した場合、その"ｄｅｖｉｃｅ"要素の"ｌａｙｅｒ"属性を参照する。そして、表示情報設定部３０５は、該"ｌａｙｅｒ"属性に記載された情報から、情報抽出部３０２が抽出すべきレイヤ情報を情報抽出部３０２に設定する。
【００７８】
次に、ステップＳ４０３において、通信部３０１が、映像配信端末５から図１１に示した複数レイヤ情報からなる映像出力用データとしてのプレゼンテーションデータを受信すると、ステップＳ４０４において、情報抽出部３０２は、前記プレゼンテーションデータ中に、映像出力終了コマンドが記述されていないかどうかを確認し、映像出力終了コマンドが存在したと判定した場合には、映像出力処理を終了し、一方、映像出力終了コマンドが存在しないと判定した場合には、処理をステップＳ４０５へ移行する。
【００７９】
次に、ステップＳ４０５において、情報抽出部３０２は、前記プレゼンテーションデータ中から、ステップＳ４０２にて設定された映像出力端末自身が出力すべきレイヤ情報を選択・抽出する。設定された例えば、抽出すべきレイヤ情報が"レイヤＡ"，"レイヤＣ"であったとすると、図１３に示す様に、プレゼンテーションデータ内の"レイヤＡ"，"レイヤＢ"，"レイヤＣ"から、"レイヤＡ"，"レイヤＣ"を抽出する。
【００８０】
次に、ステップＳ４０６では、情報展開部３０３は、ステップＳ４０５にて抽出されたレイヤ情報一枚一枚を解析し、図１４に示すように、一枚のレイヤ合成出力映像情報に合成（展開）する。
【００８１】
次に、ステップＳ４０７において、映像表示部３０４は、ステップＳ４０６にて生成されたレイヤ合成出力映像情報を元に出力装置２０５に映像出力を行い、ステップＳ４０３に処理を移行させる。
【００８２】
図１３は、図３に示した情報抽出部３０２がプレゼンテーションデータ中から映像出力端末自身が出力すべきレイヤ情報を選択・抽出する処理を模式的に示した図である。
【００８３】
図１４は、図３に示した情報展開部３０３が抽出した複数のレイヤ情報を一枚のレイヤ合成出力映像情報に合成する処理を模式的に示した図である。
【００８４】
なお、上述した図１２に示した映像出力処理は、映像配信端末５においても実行される。この場合、図２に示したＣＰＵ２０９がデータ記憶部２１１に格納されるプログラムをＲＡＭ２１０上に読み出して実行することにより実現される。また、この場合、ステップＳ４０１，Ｓ４０２による情報抽出部３０９への抽出レイヤの設定の処理は、図９のステップＳ５０２にて設定済みであるので、実行されない。
【００８５】
以下、図１２のフローチャートの処理が、映像配信端末５において実行される場合について説明する。
【００８６】
まず、ステップＳ４０３において、情報抽出部３０９は、通信部３０８から図１１に示した複数レイヤ情報からなるプレゼンテーションデータを受信すると、ステップＳ４０４において、情報抽出部３０９は、前記プレゼンテーションデータ中に、映像出力終了コマンドが記述されていないかどうかを確認し、映像出力終了コマンドが存在したと判定した場合には、映像出力処理を終了し、一方、映像出力終了コマンドが存在しないと判定した場合には、処理をステップＳ４０５へ移行する。
【００８７】
次に、ステップＳ４０５において、情報抽出部３０９は、前記プレゼンテーションデータ中から、映像出力端末自身が出力すべきレイヤ情報を選択・抽出する。
【００８８】
次に、ステップＳ４０６では、情報展開部３１０は、ステップＳ４０５にて抽出されたレイヤ情報一枚一枚を解析し、図１４に示すように、一枚のレイヤ合成出力映像情報に合成する。
【００８９】
次に、ステップＳ４０７において、映像表示部３１１は、ステップＳ４０６にて生成されたレイヤ合成出力映像情報を元に出力装置２１３に映像出力を行い、ステップＳ４０３に処理を移行させる。
【００９０】
なお、本実施形態では、映像配信端末５で設定された抽出レイヤ設定情報を、映像配信端末５から各映像出力端末１〜３に配信し、各映像出力端末１〜３で、前記映像配信端末５から受信した抽出レイヤ設定情報に基づいて、抽出レイヤ設定を行う構成について説明したが、各映像出力端末１〜３（映像配信端末５を含む）で、抽出レイヤ設定を行うユーザインタフェースを設け、各映像出力端末１〜３（映像配信端末５を含む）毎に、前記ユーザインタフェースにより抽出レイヤ設定を行うように構成してもよい。
【００９１】
また、図６，図８，図１１の各種データの構成及びその内容はこれに限定されるものではなく、用途や目的に応じて、様々な構成や内容で構成されることは言うまでもない。
【００９２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９３】
なお、実施形態内に示した各変形例を組み合わせた構成も全て本発明に含まれるものである。
【００９４】
以上示したように、本実施形態によれば、各情報出力装置（映像出力端末１〜３）に複数の出力情報（例えば、レイヤ画面情報）からなるプレゼンテーションデータ（図１１）を配信することを可能とする情報出力装置（映像配信端末５）、またその情報出力装置上で動作するソフトウェア（図４，図５，図７のユーザインタフェースに示した機能を実現可能とするソフトウェア，図９，図１０，図１２のステップＳ４０３〜Ｓ４０７に示すフローチャートに示したソフトウェア）を用いることにより、情報出力装置から配信されたプレゼンテーションデータから自らが抽出すべき出力情報を選択し出力することが可能な各情報出力装置（映像出力端末１〜３）、またその映像出力端末１〜３上で動作する情報抽出ソフトウェア（図１２に示すフローチャートに示したソフトウェア）を用いることにより、情報出力装置ごとに異なる出力を行うことを可能とする。
【００９５】
また、プレゼンテーションデータに含まれる情報は、発表者参照用映像情報（映像配信装置５がプレゼンテーション時に出力装置２１３にて出力する情報）のみで構成されるわけではないため、観覧者参照用映像情報は必ずしも発表者参照用映像情報のサブセットとなるわけではなく、各情報出力装置ごとに多様な出力を行うことが可能である。
【００９６】
従って、各情報出力装置（映像出力端末１〜３）（発表者参照用の情報出力装置（映像配信端末５）を含む）毎に、自らが表示する出力情報を抽出する機能を持つことにより、情報配信装置から配信される同一のプレゼンテーションデータによって、複数の情報出力装置が異なる出力をプレゼンテーション出力することができ、より円滑でフレキシブルなプレゼンテーションを実現することができる。
【００９７】
その結果、例えば、国際会議等において、観覧者参照用の映像出力端末を複数用意し、その映像出力端末毎に異なる言語のプレゼンテーション映像を出力し、また発表者もそれらの映像とは異なる言語にて記述された映像配信端末の画面を参照しながら、発表を行いたいといった場合でも、１つの映像配信端末から複数言語でそれぞれ記述された複数のレイヤから構成されるプレゼンテーションデータを配信して、複数の映像出力端末に異なる言語のプレゼンテーション出力を行うことができる。
【００９８】
よって、従来のように、各言語毎に個別に映像配信装置を用意し、それぞれに異なる言語のプレゼンテーション資料を記憶させ、該複数の映像配信装置を同時に操作しながら発表する必要もなく、操作を誤って、複数の映像出力配信端末からの出力が同期しなくなってしまう等の恐れも解消される。
【００９９】
以下、図１５に示すメモリマップを参照して本発明に係る情報配信出力システムを構成する情報配信装置，情報出力装置で読み取り可能なデータ処理プログラムの構成について説明する。
【０１００】
図１５は、本発明に係る情報配信出力システムを構成する情報配信装置，情報出力装置で読み取り（読み出し）可能な各種データ処理プログラムを格納する記録媒体（記憶媒体）のメモリマップを説明する図である。
【０１０１】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０２】
さらに、各種プログラムに従属するデータも上記ディレクトリに管理されている。また、インストールするプログラムやデータが圧縮されている場合に、解凍するプログラム等も記憶される場合もある。
【０１０３】
本実施形態における図９，図１０，図１２，（図４，図５に示すユーザインタフェース），（図７に示すユーザインタフェース）に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１０４】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１０５】
この場合、記録媒体から読み出されたプログラムコード自体が本発明の新規な機能を実現することになり、そのプログラムコードを記憶した記録媒体は本発明を構成することになる。
【０１０６】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０８】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１１０】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【産業上の利用可能性】
【０１１１】
プレゼンテーションを前提とした情報配信出力システムのみでなく、公衆回線網、ケーブルテレビ網等のＷＡＮを介して配信されるマルチメディア配信サービス等で、ユーザの種別に応じて、ユーザ端末に異なる情報を出力させる用途にも適用できる。
【０１１２】
例えば、コンテンツを、言語毎に異なるレイヤの情報として管理しておき、ユーザ端末に、予め言語情報を設定情報として送信しておき、該設定されたユーザ端末では、設定された言語でコンテンツが出力されるようにすることができる。
【０１１３】
また、例えば、暴力シーン等の映像を異なるレイヤの情報として管理しておき、児童が見る可能性がある種別に設定されたユーザ端末には、予め、設定情報として、該暴力シーンの映像に対応するレイヤを設定させない情報を送信しておき、該設定されたユーザ端末でのみ、暴力シーンの映像が再生されないようにすることもできる。
【図面の簡単な説明】
【０１１４】
【図１】本発明の一実施形態を示す映像出力装置および映像配信装置を提供可能な映像出力システムの一例を示すシステム構成図である。
【図２】図１に示した映像出力端末，映像配信端末のハードウェア構成の一例を示すブロック図である。
【図３】図１に示した映像出力端末，映像配信端末の機能構成の一例を示すブロック図である。
【図４】図３に示した情報生成部（ＣＰＵにより実行されるアプリケーションソフトウェアプログラム）が提供するユーザインタフェースの一例を示す模式図である。
【図５】図３に示した情報生成部（ＣＰＵにより実行されるアプリケーションソフトウェアプログラム）が提供するユーザインタフェースの一例を示す模式図である。
【図６】図３に示した情報生成部により生成される映像出力用情報登録ファイルの一例を示すデータ構成図である。
【図７】図３に示した情報圧縮部（ＣＰＵにより実行されるアプリケーションソフトウェアプログラム）が提供するユーザインタフェースの一例を示す模式図である。
【図８】図３に示した情報圧縮部により生成される出力レイヤ設定用情報の一例を示すデータ構成図である。
【図９】本発明の映像配信システムにおける第１の制御処理の一例を示すフローチャートである。
【図１０】本発明の映像配信システムにおける第２の制御処理の一例を示すフローチャートである。
【図１１】図６に示した映像出力用情報登録ファイルから映像配信トリガ発生回数に応じて抽出されたプレゼンテーションデータの一例を示すデータ構成図である。
【図１２】本発明の映像配信システムにおける第３の制御処理の一例を示すフローチャートである。
【図１３】図３に示した情報抽出部がプレゼンテーションデータ中から映像出力端末自身が出力すべきレイヤ情報を選択・抽出する処理を模式的に示した図である。
【図１４】図３に示した情報展開部が抽出した複数のレイヤ情報を一枚のレイヤ合成出力映像情報に合成する処理を模式的に示した図である。
【図１５】本発明に係る情報配信出力システムを構成する情報配信装置，情報出力装置で読み取り（読み出し）可能な各種データ処理プログラムを格納する記録媒体（記憶媒体）のメモリマップを説明する図である。
【符号の説明】
【０１１５】
１〜３  映像出力端末
４  通信伝送路
５  映像配信端末
２０１，２０９  ＣＰＵ
２０２，２１０  ＲＡＭ
２０３，２１１  データ記憶部
２０４，２１２  入力装置
２０５，２１３  出力装置
３０１，３０８  通信部
３０２，３０９  情報抽出部
３０３，３１０  情報展開部
３０４，３１１  映像表示部
３０５  表示情報設定部
３０６  情報生成部
３０７  情報圧縮部
【図１】
2006071704.tif 000003
【図２】
2006071704.tif 000004
【図３】
2006071704.tif 000005
【図４】
2006071704.tif 000006
【図５】
2006071704.tif 000007
【図６】
2006071704.tif 000008
【図７】
2006071704.tif 000009
【図８】
2006071704.tif 000010
【図９】
2006071704.tif 000011
【図１０】
2006071704.tif 000012
【図１１】
2006071704.tif 000013
【図１２】
2006071704.tif 000014
【図１３】
2006071704.tif 000015
【図１４】
2006071704.tif 000016
【図１５】
2006071704.tif 000017